(57)【要約】【課題】記録材の節約機能を有する文書処理装置において、文字認識処理による文字の電子データ化ができない文書を印刷することが可能な文書処理装置を提供する。【解決手段】文書処理装置が搭載された複合機１は、複数種別の文書データを用紙にトナーを用いて印刷するプリンタ２１と、複数種別のうち少なくとも一つの種別について、文書データを蓄積する文書蓄積部１１と、蓄積される種別のうち少なくとも一つの種別に対して、文字認識装置による印刷物の文字認識を不可とする設定を記憶する設定記憶部１２と、文字認識を不可とする設定が記憶された種別に対して、文字認識装置による印刷物の文字認識が不可能にトナーセーブ量を設定するトナー設定部１３とを備える。プリンタ２１は、トナーセーブ量が設定された種別を印刷する際に、設定されたトナーセーブ量に基づいて文書データを用紙に印刷する。【選択図】図１
2011151480.tif 000002
【特許請求の範囲】
【請求項１】
複数種別の文書データを用紙に記録材を用いて印刷する印刷手段と、
前記複数種別のうち少なくとも一つの種別について、前記文書データを蓄積する蓄積手段と、
前記蓄積手段によって蓄積される種別のうち少なくとも一つの種別に対して、文字認識装置による印刷物の文字認識を不可とする設定を記憶する記憶手段と、
記憶手段によって文字認識を不可とする設定が記憶された種別に対して、印刷物の文字を文字認識装置によって認識することが不可能に前記記録材の節約量を設定する設定手段と、
を備え、
前記印刷手段は、前記設定手段によって記録材の節約量が設定された種別の前記文書データを印刷する場合に、該種別に対して設定された記録材の節約量に基づいて、前記文書データを用紙に印刷することを特徴とする文書処理装置。
【請求項２】
前記記憶手段は、前記蓄積手段によって蓄積される前記種別のうち少なくとも一つの種別に対して、文字認識装置による印刷物の文字認識を可とする設定を記憶し、
前記設定手段は、記憶手段によって文字認識を可とする設定が記憶された種別に対して、印刷物の文字を文字認識装置によって認識することが可能に前記節約量を設定することを特徴とする請求項１に記載の文書処理装置。
【請求項３】
前記設定手段は、前記蓄積手段によって蓄積されない種別については、前記記録材が節約されないように設定することを特徴とする請求項１又は２に記載の文書処理装置。
【発明の詳細な説明】
【技術分野】
【０００１】
本発明は、文書処理装置に関する。
【背景技術】
【０００２】
従来から、トナー等の記録材を用いて用紙に文書データを印刷する際に、記録材を節約して印刷を行う文書処理装置が知られている。例えば、特許文献１には、トナー節約機能付き複合ファクシミリ装置が記載されている。この装置では、予めファイルの種類毎にトナーを節約する／しないという情報が登録され、トナーを節約するという情報が登録された種類のファイルを印刷するときには、トナーを節約して印刷が行われる。
【先行技術文献】
【特許文献】
【０００３】
【特許文献１】特開平９−２５８６１０号公報
【発明の概要】
【発明が解決しようとする課題】
【０００４】
ところで、印刷された文字を認識して文字の電子データを生成する文字認識（ＯＣＲ）装置がある。この文字認識装置によって文書の文字認識処理が行われ、文書の文字が電子データ化されると、文書に記載された情報へのアクセス、及び、文書の編集が容易となる。このため、文字認識装置による文字認識をセキュリティの観点から防止したい場合がある。しかしながら、上記特許文献１に記載の装置では、この点についてなんら考慮されていない。
【０００５】
本発明は、上記問題点を解消するためになされたものであり、記録材の節約機能を有する文書処理装置において、文字認識処理による文字の電子データ化ができない文書を印刷することが可能な文書処理装置を提供することを目的とする。
【課題を解決するための手段】
【０００６】
本発明に係る文書処理装置は、複数種別の文書データを用紙に記録材を用いて印刷する印刷手段と、複数種別のうち少なくとも一つの種別について、文書データを蓄積する蓄積手段と、蓄積手段によって蓄積される種別のうち少なくとも一つの種別に対して、文字認識装置による印刷物の文字認識を不可とする設定を記憶する記憶手段と、記憶手段によって文字認識を不可とする設定が記憶された種別に対して、印刷物の文字を文字認識装置によって認識することが不可能に記録材の節約量を設定する設定手段と、を備え、印刷手段は、設定手段によって記録材の節約量が設定された種別の文書データを印刷する場合に、該種別に対して設定された記録材の節約量に基づいて、文書データを用紙に印刷することを特徴とする。
【０００７】
本発明に係る文書処理装置によれば、複数種別のうち少なくとも一つの種別について、文書データが蓄積手段によって蓄積される。この蓄積される種別のうち少なくとも一つの種別に対して、文字認識装置による印刷物の文字認識を不可とする設定が記憶手段によって記憶される。文字認識を不可とする設定が記憶された種別については、印刷物の文字を文字認識装置によって認識することが不可能に、印刷時に用いる記録材の節約量が設定手段によって設定され、印刷データが印刷手段によって用紙に印刷される。このため、文字認識を不可とする設定が記憶された種別については、文字認識装置による文字認識が不可能な量に記録材が節約されて印刷される。従って、文書データの種別に応じて、文字認識処理による文字の電子データ化ができない文書を印刷することが可能となる。
【０００８】
また、印刷物の文字を文字認識装置によって認識不可能に節約量が設定された種別の文書データは、蓄積手段によって蓄積される。従って、ユーザが印刷物の文字が不鮮明であると感じた場合に、記憶された文書データを用いて再度印刷を行うことが可能である。
【０００９】
本発明に係る文書処理装置では、記憶手段が、蓄積手段によって蓄積される種別のうち少なくとも一つの種別に対して、文字認識装置による印刷物の文字認識を可とする設定を記憶し、設定手段は、記憶手段によって文字認識を可とする設定が記憶された種別に対して、印刷物の文字を文字認識装置によって認識することが可能に節約量を設定することが好ましい。
【００１０】
この場合、更に、文字認識装置による印刷物の文字認識を可とする設定がなされた種別については、文字認識装置による印刷物の文字認識を可能に記録材の節約量が設定され、文書データが印刷される。従って、文字認識を可とする設定が記憶された種別については、文字認識装置による文字認識が可能な量に記録材が節約されて印刷される。一方、上述したように、文字認識を不可とする設定の種別は、印刷物の文字認識ができないように印刷される。従って、文書データの種別に応じて、印刷物の文字認識装置による文字認識の可否を制御することができる。
【００１１】
本発明に係る文書処理装置では、設定手段が、蓄積手段によって蓄積されない種別については、記録材が節約されないように設定することが好ましい。この場合、蓄積手段によって蓄積されない種別の文書データについては、記録材が節約されずに印刷されるので、節約される場合と比較して文字を鮮明に印刷することができる。
【発明の効果】
【００１２】
本発明によれば、記録材の節約機能を有する文書処理装置において、文字認識処理による文字の電子データ化ができない文書を印刷することが可能となる。
【図面の簡単な説明】
【００１３】
【図１】実施形態に係る文書処理装置が搭載された複合機の構成を示すブロック図である。
【図２】複合機が備える設定記憶部に記憶される設定内容の一例を示す表である。
【図３】複合機が備える制御部による設定処理の処理手順を示すフローチャートである。
【図４】複合機が備える制御部によるトナーセーブ量を設定する処理の処理手順を示すフローチャートである。
【発明を実施するための形態】
【００１４】
以下、図面を参照して本発明の好適な実施形態について詳細に説明する。最初に、図１を用いて、実施形態に係る文書処理装置が搭載された複合機１の構成について説明する。図１は、実施形態に係る文書処理装置が搭載された複合機１の構成を示すブロック図である。
【００１５】
複合機１は、プリンタ、ＦＡＸ、ＩＦＡＸ、コピー、及びスキャナ等の機能を有し、これらの機能によって取得された文書データの種別に応じて、プリンタで使用されるトナーの節約量（以下「トナーセーブ量」という）を制御する。これにより、複合機１は、文書データの種別に応じて、文書データが印刷された印刷物の文字認識装置による文字認識の可否を制御する。
【００１６】
なお、複合機１において取得される文書データの種別には、ＦＡＸ受信原稿、ＩＦＡＸ受信原稿、コピー原稿、ＰＣプリント原稿、及びリスト関係出力原稿等がある。これらの文書データは、プリンタ２１によって用紙に印刷される。ここで、リスト関係出力原稿は、例えば、複合機１の動作状況等を示すリスト原稿であり、複合機１内において生成される文書データである。
【００１７】
上記の機能を実現するために複合機１は、制御部１０、プリンタ２１、スキャナ２２、コーディク２３、文字認識部２４、ＮＣＵ（Ｎｅｔｗｏｒｋ  Ｃｏｎｔｒｏｌ  Ｕｎｉｔ）２５、モデム２６、ＩＦＡＸ制御部２７、Ｗｅｂサーバ２８、操作部２９、表示部３０、及びＬＡＮインターフェース３１を備えている。なお、各部は通信線３２で相互に通信可能に接続されている。
【００１８】
制御部１０は、演算を行うマイクロプロセッサ、マイクロプロセッサに各処理を実行させるためのプログラム等を記憶するＲＯＭ、演算結果などの各種データを一時的に記憶するＲＡＭ等により構成されている。制御部１０は、プログラムを実行することにより、複合機１が備えるハードウエアを統合的に制御する。また、制御部１０は、上記のハードウエアとソフトウエアとの協働によって、以下に説明する文書蓄積部１１、設定記憶部１２、及びトナー設定部１３としての機能を発揮する。
【００１９】
文書蓄積部１１は、複合機１において取得された複数種別の文書データのうち、アーカイブ設定がなされた種別の文書データを種別毎に蓄積する。すなわち、文書蓄積部１１は、特許請求の範囲に記載の蓄積手段として機能する。文書蓄積部１１は、アーカイブ設定がＯＮに設定された種別の文書データを種別毎に記憶し、アーカイブ設定がＯＦＦに設定された種別の文書データは記憶しない。
【００２０】
文書蓄積部１１は、複合機１において取得された文書データがラスタ形式である場合にはそのデータを蓄積し、取得された文書データがラスタ形式でない場合には、制御部１０においてラスタライズされた文書データを蓄積する。文書蓄積部１１が、ラスタ形式で文書データを記憶することにより、同じ文書データを再び印刷する際に、ラスタライズ変換処理を行うことなく印刷を行うことができる。
【００２１】
設定記憶部１２は、文書データの種別毎に、ＯＣＲ設定、アーカイブ設定、及びトナーセーブ方法を記憶する。設定記憶部１２は、ＯＣＲ設定として、文字認識装置による印刷物の文字認識を可又は不可とする設定を文書データの種別毎に記憶する。すなわち、設定記憶部１２は、特許請求の範囲に記載の記憶手段として機能する。
【００２２】
図２を参照して、設定記憶部１２に記憶される設定内容について説明する。図２は、複合機１が備える設定記憶部１２に記憶された設定内容の一例を示す表である。この一例では、ＯＣＲ処理について、文書データの各種別に対して「可」、「不可」、又は「無効」のいずれかが設定されている。
【００２３】
「可」の設定は、対象となる種別の文書データが印刷された印刷物について、文字認識装置による文字認識を許可する旨の設定である。「不可」の設定は、対象となる種別の文書データが印刷された印刷物について、文字認識装置による文字認識を許可しない旨の設定である。「可」又は「不可」の設定は、ユーザの操作に応じて設定される。「無効」の設定は、未だユーザによって設定がなされていない旨を示している。
【００２４】
アーカイブ設定については、ＯＣＲ設定が「可」並びに「不可」である種別、及び、ユーザが設定した種別に対して、「ＯＮ」が設定されている。それ以外の種別については、アーカイブ設定が「ＯＦＦ」に設定され、文書データは蓄積されない。
【００２５】
トナーセーブ方法については、ＯＣＲ設定が「可」に設定された種別「ＦＡＸ受信原稿」に対して、「自動調整」が設定されている。この場合の「自動調整」は、文字認識装置が印刷物の文字を認識できるように、トナーセーブ量が設定されることを意味する。一方、ＯＣＲ設定が「不可」に設定された種別「ＰＣプリント原稿」に対して設定された「自動調整」は、文字認識装置が印刷物の文字を認識できないように、トナーセーブ量が設定されることを意味する。
【００２６】
アーカイブ設定が「ＯＦＦ」に設定された種別「コピー原稿」に対して、トナーセーブ方法は「設定禁止」に設定されている。この「設定禁止」は、ユーザによるトナーセーブ量の設定を禁止し、印刷時にトナーを節約しないことを意味する。
【００２７】
より詳しく説明すると、トナーを節約して印刷した場合、文字が不鮮明となる結果、印刷が失敗したとユーザが感じる虞がある。この場合に、ユーザが再度の印刷をしようとしても、アーカイブ設定が「ＯＦＦ」の文書データは、複合機１内に蓄積されていないので、蓄積された文書データを用いて再度の印刷を行うことができない。そこで、アーカイブ設定が「ＯＦＦ」に設定されている種別の文書データについては、トナーを節約しないように設定されている。
【００２８】
ＯＣＲ設定が「無効」、アーカイブ設定が「ＯＮ」に設定された種別「ＩＦＡＸ受信原稿」，「リスト関係出力原稿」に対して、トナーセーブ方法は、「ユーザ設定値（３０％）」，「ユーザ設定値（５０％）」が設定されている。「ユーザ設定値（３０％）」は、ユーザが任意に設定した値（３０％）にトナーセーブ量が設定されることを意味する。トナーセーブ量が３０％に設定された場合、トナーを節約しない場合に対する７０％の量のトナーを用いて印刷される。
【００２９】
トナー設定部１３は、設定記憶部１２に記憶された設定に基づき、文書データの種別に応じてトナーセーブ量を設定する。すなわち、トナー設定部１３は、特許請求の範囲に記載の設定手段として機能する。
【００３０】
トナー設定部１３は、ＯＣＲ設定が「可」でトナーセーブ方法が「自動調整」に設定された種別が印刷される際に、文字認識装置によって印刷物の文字が認識できるように、トナーセーブ量を設定する。また、トナー設定部１３は、ＯＣＲ設定が「不可」でトナーセーブ方法が「自動調整」に設定された種別が印刷される際に、文字認識装置によって印刷物の文字が認識できないように、トナーセーブ量を設定する。
【００３１】
トナー設定部１３は、例えば、文字認識装置によって印刷物の文字を認識可能なトナーセーブ量及び認識不可能なトナーセーブ量を予め定められた所定値に設定する。例えば、認識可能なトナーセーブ量の所定値を３０％程度に設定し、認識不可能なトナーセーブ量の所定値を５０％程度に設定することができる。
【００３２】
また、文字認識装置によって印刷物の文字を認識可能なトナーセーブ量は、次のような方法により設定してもよい。まず、印刷対象のラスタライズデータに画像処理を施すことにより、トナーを節約して印刷された印刷物を示す画像データを生成する。生成した画像データに含まれる文字についてＯＣＲ処理を行い、文字の認識率を算出する。この手順をトナーセーブ量を変えて繰り返すことにより、認識率１００％の画像データについて、トナーの最大節約割合を算出することができる。トナー設定部１３は、この認識率１００％の最大節約割合を文字認識装置によって印刷物の文字を認識可能なトナーセーブ量として設定する。
【００３３】
文字認識装置によって印刷物の文字を認識不可能なトナーセーブ量は、例えば、次のような方法により設定してもよい。認識率が例えば３０％の画像データについて、トナーセーブ量を変えて上記の手順を繰り返すことにより、認識率３０％の画像データについてトナーの最大節約割合を算出することができる。トナー設定部１３は、この認識率３０％の最大節約割合を文字認識装置によって印刷物の文字を認識不可能なトナーセーブ量として設定する。
【００３４】
また、トナー設定部１３は、設定記憶部１２にトナーセーブ方法として「ユーザ設定値」が設定されている場合には、設定記憶部１２に記憶されたユーザ設定値をトナーセーブ量として設定する。また、トナー設定部１３は、設定記憶部１２にトナーセーブ方法として「設定禁止」が設定されている場合には、トナーセーブ量を０％に設定する。
【００３５】
図１に戻り、引き続き複合機１の構成について説明する。プリンタ２１は、ラスタ形式の文書データを用いて、複数種別の文書データを用紙に印刷する。すなわち、プリンタ２１は、特許請求の範囲に記載の印刷手段として機能する。プリンタ２１は、記録材としてトナーを使用する。また、プリンタ２１は、トナー設定部１３によって設定されたトナーセーブ量に基づいて、トナーを節約して文書データを印刷する。
【００３６】
プリンタ２１は、トナーを節約する方法として既知の方法を用いることができる。例えば、レーザをライン状に走査して感光体上に静電潜像を形成する際に、設定されたトナーセーブ量に応じて画素を間引きすることにより、感光体に付着するトナーをトナーセーブ量に応じて節約する。
【００３７】
プリンタ２１が、文字認識装置によって印刷物の文字を認識可能に設定されたトナーセーブ量で印刷した場合に、印刷された印刷物について、文字認識部２４による文字認識処理を行うと、例えば、約９０％以上の文字認識率となる。プリンタ２１が、文字認識装置によって印刷物の文字を認識不可能に設定されたトナーセーブ量で印刷した場合に、印刷された印刷物について、文字認識部２４による文字認識処理を行うと、例えば、約３０％以下の文字認識率となる。
【００３８】
スキャナ２２は、光学式の読取装置であり、紙文書等の原稿を読み取り、画像データを生成する。コピーが行われる際には、スキャナ２２によって生成された画像データが、コピー原稿として取り扱われる。コーデック２３は、スキャナ２２で読み取られた画像データを符号化圧縮するとともに符号化圧縮されている画像データを復号する。文字認識部２４は、例えばスキャナ２２によって読み込まれた画像データのＯＣＲ処理を行う。
【００３９】
ＮＣＵ２５は、モデム２６と接続されており、モデム２６と公衆交換電話網（ＰＳＴＮ）５２との接続を制御し、ＦＡＸの送受信を行う。ＮＣＵ２５によって受信されたＦＡＸの原稿データが、ＦＡＸ受信原稿として取り扱われる。
【００４０】
ＩＦＡＸ制御部２７は、画像データを電子メールに添付し、メールアドレス（ＳＭＴＰサーバ）宛てに送信する。また、ＩＦＡＸ制御部２７は、設定された時間毎にＰＯＰサーバからＬＡＮインターフェース３１を介して電子メールを受信する。ＩＦＡＸ制御部２７によって受信された電子メールに添付された画像データが、ＩＦＡＸ受信原稿として取り扱われる。
【００４１】
Ｗｅｂサーバ２８は、例えばＨＴＭＬで記述されたホームページ、ログインページ、及びファクシミリ操作ページ等のデータに対して、パーソナルコンピュータ５０からアクセスして所定のＨＴＴＰタスクを実行することを可能にする。
【００４２】
操作部２９は、ユーザが複合機１を操作するために設けられた各種のファンクションキー等を備えている。表示部３０は、ＬＣＤ等を用いた表示装置であり、複合機１の動作状態、設定内容、及び各種のメッセージ等を表示する。ユーザは、表示部３０に表示された内容に応じて、操作部２９を介してＯＣＲ設定、アーカイブ設定、トナーセーブ量の設定等の各種の設定を行うことができる。
【００４３】
ＬＡＮインターフェース３１は、パーソナルコンピュータ５０が接続されたＬＡＮ５１に接続されている。このため、複合機１は、パーソナルコンピュータ５０を介してユーザから各種の設定を受け付けることができる。また、ＬＡＮインターフェース３１を介してパーソナルコンピュータ５０から入力された文書データが、ユーザの操作による印刷指示と共に複合機１に入力される。この文書データは、ＰＣプリント原稿として取り扱われる。
【００４４】
以下、複合機１が備える制御部１０による処理動作を説明する。まず、図３を参照して、設定記憶部１２に記憶されるＯＣＲ設定、アーカイブ設定、及びトナーセーブ方法を設定する処理手順について説明する。図３は、複合機１が備える制御部１０による設定処理の処理手順を示すフローチャートである。
【００４５】
最初に、ステップＳ１０１では、設定対象となる文書データの種別が選択される。次に、ステップＳ１０２では、ユーザからＯＣＲ設定が受け付けられる。ステップＳ１０３では、ステップＳ１０２においてユーザから受け付けられたＯＣＲ設定について、有効か否かが判断される。ユーザから受け付けられたＯＣＲ設定が「可」又は「不可」である場合には、ＯＣＲ設定が有効と判断され、ステップＳ１０９へ処理が進む。
【００４６】
ユーザからＯＣＲ設定について「可」又は「不可」が受け付けられていない場合には、ＯＣＲ設定が有効でないと判断され、ステップＳ１０４へ処理が進む。ステップＳ１０４では、ＯＣＲ設定について「無効」が設定される。続いて、ステップＳ１０５では、ユーザからアーカイブ設定が受け付けられる。次に、ステップＳ１０６では、ステップＳ１０５において受け付けられたアーカイブ設定がＯＮか否かが判断される。
【００４７】
受け付けられたアーカイブ設定がＯＮである場合は、ステップＳ１０７へ処理が進む。ステップＳ１０７では、ユーザからトナーセーブ量の設定が受け付けられて、トナーセーブ方法が「ユーザ設定値」に設定されると共に、受け付けられたトナーセーブ量が記憶される。
【００４８】
ステップＳ１０６で受け付けられたアーカイブ設定がＯＮでない場合は、ステップＳ１０８へ処理が進む。ステップＳ１０８では、トナーセーブ方法が「設定禁止」に設定される。これにより、アーカイブされない種別の文書データについては、印刷時にトナーがセーブされないように設定することができる。
【００４９】
一方、ステップＳ１０９では、アーカイブ設定が「ＯＮ」に設定される。続いて、ステップＳ１１０では、ステップＳ１０２でユーザから受け付けられたＯＣＲ設定が「可」であるか否かが判断される。ステップＳ１０２で受け付けられたＯＣＲ設定が「不可」である場合には、ステップＳ１１１へ処理が進む。ステップＳ１１１では、トナーセーブ方法が「自動調整」、ＯＣＲ設定が「不可」に設定される。
【００５０】
ステップＳ１１０において、ステップＳ１０２でユーザから受け付けられたＯＣＲ設定が「可」であると判断された場合には、ステップＳ１１２へ処理が進む。ステップＳ１１２では、トナーセーブ方法が「自動調整」、ＯＣＲ設定が「可」に設定される。以上の処理を文書データの種別毎に行うことにより、ＯＣＲ処理、アーカイブ設定、トナーセーブ方法が文書データの種別毎に設定され、設定記憶部１２によって記憶される。
【００５１】
このように、設定記憶部１２に設定が予め記憶された状態で、複合機１において文書データが取得されると、制御部１０において、トナーセーブ量の設定が行われる。このトナーセーブ量を設定する処理について、図４を用いて説明する。図４は、複合機１が備える制御部１０によるトナーセーブ量を設定する処理の処理手順を示すフローチャートである。
【００５２】
まず、ステップＳ１２１では、印刷対象となる文書データの種別について設定されたアーカイブ設定が、ＯＮか否かが判断される。アーカイブ設定がＯＮに設定されていない場合は、ステップＳ１２２へ処理が進む。ステップＳ１２２では、トナーセーブ量が０に設定される。この場合は、トナーが節約されずに印刷される。
【００５３】
一方、ステップＳ１２１において、アーカイブ設定がＯＮに設定されている場合、ステップＳ１２３へ処理が進む。ステップＳ１２３では、ＯＣＲ設定が「可」、「不可」、「無効」のいずれに設定されているかが判断される。
【００５４】
ステップＳ１２３で、ＯＣＲ設定が「可」に設定されている場合には、ステップＳ１２４へ処理が進む。ステップＳ１２４では、文字認識装置による印刷物の文字認識が可能な割合にトナーセーブ量が設定される。この場合は、文字認識装置による印刷物の文字認識が可能となるように、トナーが節約されて、印刷データが用紙に印刷される。
【００５５】
ステップＳ１２３で、ＯＣＲ設定が「不可」に設定されている場合には、ステップＳ１２５へ処理が進む。ステップＳ１２５では、文字認識装置による印刷物の文字認識が不可能な割合にトナーセーブ量が設定される。この場合は、文字認識装置による印刷物の文字認識が不可能となるように、トナーが節約されて、印刷データが用紙に印刷される。
【００５６】
ステップＳ１２３で、ＯＣＲ設定が「無効」に設定されている場合には、ステップＳ１２６へ処理が進む。ステップＳ１２６では、ユーザによって設定された設定値に従い、トナーセーブ量が設定される。この場合は、ユーザによって設定されたトナーセーブ量に応じてトナーが節約され、印刷データが用紙に印刷される。
【００５７】
以上説明した本実施形態に係る複合機１によれば、アーカイブ設定がなされた種別毎にトナーセーブ量が設定され、設定されたトナーセーブ量に基づいて印刷が行われる。ＯＣＲ設定が「不可」に設定された種別「ＰＣプリント原稿」については、文字認識装置による印刷物の文字認識が不可能な割合にトナーセーブ量が設定されて、文書データが印刷される。ＯＣＲ設定が「可」に設定された種別「ＦＡＸ受信原稿」については、文字認識装置による印刷物の文字認識が可能な割合にトナーセーブ量が設定されて、文書データが印刷される。従って、文書データの種別に応じて、文字認識装置による印刷物の文字認識の可否を制御することができる。
【００５８】
また、トナーを節約して印刷を行うと、節約しない場合より印刷が不鮮明になり、印刷が失敗という結果になる虞がある。本実施形態では、トナーを節約して印刷される印刷データは、蓄積されるので、印刷を失敗したとしても、蓄積された印刷データを用いて再度印刷することができる。
【００５９】
以上、本発明の実施の形態について説明したが、本発明は、上記実施形態に限定されるものではなく種々の変形が可能である。例えば、上記実施形態では、トナーセーブ量について、節約する割合［％］を用いて示したが、これに限られない。
【００６０】
また、上記実施形態では、文書データの取得方法によって文書データの種別を区別し、ＦＡＸ受信原稿、ＩＦＡＸ受信原稿、コピー原稿、ＰＣプリント原稿、及びリスト関係出力原稿の種別毎にトナーセーブ量を設定した。文書データの種別を区別する方法は、これに限られず、例えば、ユーザが文書データの種別を設定できるように構成してもよい。
【符号の説明】
【００６１】
１  複合機
１０  制御部
１１  文書蓄積部
１２  設定記憶部
１３  トナー設定部
２１  プリンタ
２２  スキャナ
２３  コーディク
２４  文字認識部
２５  ＮＣＵ
２６  モデム
２７  ＩＦＡＸ制御部
２８  Ｗｅｂサーバ
２９  操作部
３０  表示部
３１  ＬＡＮインターフェース
【図１】
2011151480.tif 000003
【図２】
2011151480.tif 000004
【図３】
2011151480.tif 000005
【図４】
2011151480.tif 000006